(57)【要約】【課題】生産ラインにおいて、に不快感を与えることなく作業遅延の報知を行う。【解決手段】セル生産ライン（Ｃ）は、作業者を特定する作業者特定部（１２０）と、前記作業者が作業を開始してから経過した実作業時間を特定する実作業時間特定部（１３０）と、前記作業者の作業内容と前記作業者との組合せにもとづいて設定される所定作業時間を、前記実作業時間が超過するか否かの超過判定を行う超過判定部（１４０）と、前記超過判定の結果、超過していた場合には前記作業者が作業を行う作業台（Ｔ）の色を変化させて報知させる報知指示を出力する報知部（１５０）と、を備える。【選択図】図１
2020177533.tif 000002
【特許請求の範囲】
【請求項１】
作業者を特定する作業者特定部と、
前記作業者が作業を開始してから経過した実作業時間を特定する実作業時間特定部と、
前記作業者の作業内容と前記作業者との組合せにもとづいて設定される所定作業時間を、前記実作業時間が超過するか否かの超過判定を行う超過判定部と、
前記超過判定の結果、超過していた場合には前記作業者が作業を行う作業台の色を変化させて報知させる報知指示を出力する報知部と、を備える生産ライン。
【請求項２】
前記実作業時間が前記所定作業時間に対して超過している超過時間を算定する超過時間算定部をさらに備え、
前記報知部は、前記超過時間に応じて前記作業台の色の変化を強くして報知させる前記報知指示を出力する、請求項１に記載の生産ライン。
【請求項３】
前記所定作業時間は、前記作業者ごとに固有の、前記作業内容に対する最良の作業時間、または平均作業時間である、請求項１または２のいずれか１項に記載の生産ライン。
【請求項４】
前記作業者のＩＤカードの情報を取得するコードリーダから情報入力を受け付け、またはカメラの撮影結果を用いて前記作業者を特定する作業者特定機器を備え、
前記作業者特定部は、前記作業者特定機器から受信した情報にもとづいて前記作業者を特定する、請求項１から３のいずれか１項に記載の生産ライン。
【請求項５】
カメラ、赤外線センサ、または圧力センサを含む実作業時間特定機器を備え、
前記実作業時間特定部は、前記実作業時間特定機器から受信した情報にもとづいて前記実作業時間を特定する、請求項１から４のいずれか１項に記載の生産ライン。
【請求項６】
前記作業台の上方にプロジェクタを備え、
前記プロジェクタの照射口は前記作業台へ向けられており、
前記報知部から入力された報知指示に応じて変化する色を投影する、請求項１から５のいずれか１項に記載の生産ライン。
【請求項７】
前記作業台はディスプレイ上に設けられ、
前記ディスプレイは、前記報知部から入力された前記報知指示に応じて変化する色を表示する、請求項１から５のいずれか１項に記載の生産ライン。
【請求項８】
前記作業台の一部には照明が埋め込まれ、
前記報知部から入力された前記報知指示に応じて変化する色を点灯する、請求項１から５のいずれか１項に記載の生産ライン。
【請求項９】
生産ラインにおける報知動作を制御する制御装置であって、
作業者を特定する作業者特定部と、
前記作業者の作業内容を特定する作業内容特定部と、
前記作業者が前記作業内容の作業を開始してから終了するまでに要した実作業時間を特定する実作業時間特定部と、
前記作業内容と前記作業者との組合せにもとづいて所定作業時間を決定し、前記実作業時間が、前記所定作業時間を超過するか否かの超過判定を行う超過判定部と、
前記超過判定の結果、超過していた場合には前記作業者が作業を行う作業台の色を変化させて報知させる報知指示を出力する報知部と、を備える制御装置。
【発明の詳細な説明】
【技術分野】
【０００１】
本発明は報知機器を備えた生産ライン、およびそれに用いる制御装置に関する。
【背景技術】
【０００２】
セル生産方式とは、組み立て製造業において、一人または数人の作業者が、部品の取り付けから組み立て、加工、検査までの多工程を担当する生産方式であり、主に少量多品種の生産に適用される。
【０００３】
セル生産方式の製造ライン（セル生産ライン）において、作業者の作業時間を管理し、作業者の作業時間が所定作業時間を超えている場合に報知を行うための技術が開示されている。
【０００４】
特許文献１には、作業者が計測回数をあらかじめ入力し、作業者が作業を開始したときにスタートスイッチを押すことで計時を開始し、作業者が作業を終了したときにカウントスイッチを押すことで計数が行われ、前記計測回数分、スタートスイッチとカウントスイッチを押す動作を繰り返すとブザーが鳴動し作業者に計測終了を通知し、平均タクトタイムを液晶に表示する技術が開示されている。
【先行技術文献】
【特許文献】
【０００５】
【特許文献１】特開２００６−１９００３７号公報
【発明の概要】
【発明が解決しようとする課題】
【０００６】
特許文献１に記載の従来技術は、計測終了時にブザーを鳴動させて報知するため、作業者を驚かせたり、周囲の作業者にも作業に要した時間が周知となり作業者のモチベーションを損なうなど、作業者に不快感を与える。
【０００７】
本発明の一態様は、生産ラインにおいて、不快感を与えることなく作業者に対して作業遅延の報知を行う生産ラインを実現することを目的とする。
【課題を解決するための手段】
【０００８】
本開示は、上述の課題を解決するために、以下の構成を採用する。
【０００９】
本開示の一側面に係る生産ラインは、作業者を特定する作業者特定部と、前記作業者が作業を開始してから経過した実作業時間を特定する実作業時間特定部と、前記作業者の作業内容と前記作業者との組合せにもとづいて設定される所定作業時間を、前記実作業時間が超過するか否かの超過判定を行う超過判定部と、前記超過判定の結果、超過していた場合には前記作業者が作業を行う作業台の色を変化させて報知させる報知指示を出力する報知部と、を備える。
【００１０】
上記構成によれば、超過判定の結果、超過していた場合は作業台の色を変化させて報知する。そのため、ブザー鳴動のように作業者を驚かせたり、所定作業時間を超過していることが、周囲の作業者に容易に知られることなく、作業のリズムを安定化させることができる。従って、報知動作が作業者のモチベーションへ与える悪影響を抑制することができる。これにより、作業者が長期従事すること、ならびに作業者当人のパフォーマンス改善、および人材の変動抑止による品質向上効果が期待できる。
【００１１】
上記一側面に係る生産ラインは、前記実作業時間が前記所定作業時間に対して超過している超過時間を算定する超過時間算定部をさらに備え、前記報知部は、前記超過時間に応じて前記作業台の色の変化を強くして報知させる前記報知指示を出力する。
【００１２】
上記構成によれば、超過判定の直後には色の変化を最も弱くし、超過時間に応じて作業台の色の変化を強くすることができる。これにより、超過判定の直後に作業者に与える不快感を、超過の有無にのみもとづいて報知するよりも抑制することができる。また、超過時間が増すにつれて色の変化を強くし、より確実に報知を行うことができる。
【００１３】
上記一側面に係る生産ラインにおいて、前記所定作業時間は、前記作業者ごとに固有の、前記作業内容に対する最良の作業時間、または平均作業時間である。
【００１４】
上記構成によれば、作業者ごとに固有の基準（最良の作業時間、または平均作業時間、またはそれらの組み合わせから導出できる値）にもとづいて報知を行うことができる。これにより、作業者ごとに固有の熟練の程度に合わせた報知を行うことができる。
【００１５】
上記一側面に係る生産ラインは、前記作業者のＩＤカードの情報を取得するコードリーダから情報入力を受け付け、またはカメラの撮影結果を用いて前記作業者を特定する作業者特定機器を備え、前記作業者特定部は、前記作業者特定機器から受信した情報にもとづいて前記作業者を特定する。
【００１６】
上記構成によれば、生産ラインは、生産作業に従事する作業者が、各作業において作業時間カウントのための付加的な作業を行うことなしに、作業者を特定することがきる。
【００１７】
上記一側面に係る生産ラインは、カメラ、赤外線センサ、または圧力センサを含む実作業時間特定機器を備え、前記実作業時間特定部は、前記実作業時間特定機器から受信した情報にもとづいて前記実作業時間を特定する。
【００１８】
上記構成によれば、生産ラインは、生産作業に従事する作業者が作業時間カウントのための付加的な作業を行うことなしに、作業者の作業時間を特定することができる。従って、前記作業内容の作業を開始してから経過した時間を特定する実作業時間特定処理のために、作業者が付加的な作業を行う必要が無い。
【００１９】
上記一側面に係る生産ラインは、前記作業台の上方にプロジェクタを備え、前記プロジェクタの照射口は前記作業台へ向けられており、前記報知部から入力された報知指示に応じて変化する色を投影する。
【００２０】
上記構成によれば、プロジェクタは、作業台から離れた場所から、作業台の一部または全部の色を変化させるような投影を行い作業者への報知を行うことができる。そのため、プロジェクタは、作業による衝撃を受けない。また、作業者が作業する際に干渉する虞を抑制することができる。これにより、作業台の耐衝撃性や形状などの要求仕様を変更することなしに低コストに本開示の内容を実施することが可能になる。
【００２１】
上記一側面に係る生産ラインにおいて、前記作業台はディスプレイ上に設けられ、前記ディスプレイは、前記報知部から入力された前記報知指示に応じて変化する色を表示する。
【００２２】
上記構成によれば、ディスプレイと作業台との位置調整を行うことなしに、作業台の一部または全部の色を変化させて作業者への報知を行うことができる。
【００２３】
上記一側面に係る生産ラインにおいて、前記作業台の一部には照明が埋め込まれ、
前記報知部から入力された前記報知指示に応じて変化する色を点灯する。
【００２４】
上記構成によれば、照明と作業台との位置調整を行うことなしに、作業台の一部の色を変化させて作業者への報知を行うことができる。
【００２５】
本開示の一側面に係る制御装置は、生産ラインにおける報知動作を制御する制御装置であって、作業者を特定する作業者特定部と、前記作業者の作業内容を特定する作業内容特定部と、前記作業者が前記作業内容の作業を開始してから終了するまでに要した実作業時間を特定する実作業時間特定部と、前記作業内容と前記作業者との組合せにもとづいて所定作業時間を決定し、前記実作業時間が、前記所定作業時間を超過するか否かの超過判定を行う超過判定部と、前記超過判定の結果、超過していた場合には前記作業者が作業を行う作業台の色を変化させて報知させる報知指示を出力する報知部と、を備える。
【００２６】
上記構成によれば、超過判定の結果、超過していた場合は作業台の色を変化させて報知する。そのため、ブザー鳴動のように作業者を驚かせたり、所定作業時間を超過していることが、周囲の作業者に容易に知られることなく、作業のリズムを安定化させることができる。従って、報知動作が作業者のモチベーションへ与える悪影響を抑制することができる。これにより、作業者が長期従事すること、ならびに作業者当人のパフォーマンス改善、および人材の変動抑止による品質向上効果が期待できる。
【発明の効果】
【００２７】
本開示の一側面に係る生産ラインによれば、実作業時間が所定作業時間を超過していた場合に作業台の色を変化させて報知することにより、所定作業時間を超過していることが周囲の作業者に容易に知られる事を抑止することができる。作業者のモチベーションを損なわないセル生産ラインを実現することができる。
【図面の簡単な説明】
【００２８】
【図１】本開示の実施形態１に係るセル生産ラインの構成を示すブロック図である。
【図２】本開示の実施形態１に係るセル生産ラインの全体構成を示す概略図である。
【図３】本開示の実施形態１に係るセル生産ラインにおける各ステーションの外観を示す概略図である。
【図４】本開示の実施形態１に係るセル生産ラインの動作を示すフローチャートである。
【図５】本開示の実施形態１に係るセル生産ラインの、作業内容と作業者との組合せに応じて記録された作業時間のデータベースの例である。
【図６】本開示の実施形態１に係るセル生産ラインにおいて、プロジェクタを用いて作業台の色を変化させる報知動作を図示する概略図である。
【図７】本開示の実施形態１に係るセル生産ラインにおいて、色を変化させる報知領域の一例を示す図である。
【図８】本開示の実施形態１に係るセル生産ラインにおいて、色を変化させる報知領域の一例を示す図である。
【図９】本開示の実施形態２に係るセル生産ラインにおいて、ディスプレイを用いて作業台の色を変化させる報知動作を示す図である。
【図１０】本開示の実施形態３に係るセル生産ラインにおいて、作業台の一部に埋め込まれた照明を点灯させて作業者へ報知する報知動作を示す図である。
【発明を実施するための形態】
【００２９】
〔実施形態１〕
以下、本開示の一側面に係る実施形態が、図面にもとづいて説明される。
【００３０】
§１  適用例
図１を用いて、本開示が適用される場面の一例が説明される。図１は、本適用例に係るセル生産ラインＣの構成を示すブロック図である。セル生産ラインＣは、制御装置１０、１つ以上のステーション２、作業者特定機器３を備える。
【００３１】
制御装置１０は、作業者特定部１２０、作業内容特定部１１０、所定作業時間決定部１６０、実作業時間特定部１３０、超過判定部１４０、報知部１５０、作業者固有作業時間ＤＢ（データベース）１９０、および作業者ＤＢ１９１を含む。図５に示すように、作業者固有作業時間ＤＢ１９０には、作業内容ＩＤ１９０ａ、作業者ＩＤ１９０ｂ、作業者固有平均作業時間１９０ｃ、および作業者固有最良作業時間１９０ｄが含まれる。なお、説明の簡便にするため、図５には、作業者固有平均作業時間１９０ｃおよび作業者固有最良作業時間１９０ｄの両方を示しているが、後述する所定作業時間決定処理において使用する方が少なくとも格納されていればよい。
【００３２】
ステーション２は、作業者Ｗ（図２）が作業する作業台Ｔ、作業台Ｔで作業する作業者Ｗを特定する実作業時間特定機器２１０、作業台Ｔで作業する作業者Ｗに報知する報知機器２２０、を備える。
【００３３】
制御装置１０は、工場における上位システムである図示しない製造実行システムＭ（Manufacturing Execution System:ＭＥＳ）から、通信部を通じてライン単位の作業指示内容を受信する。作業内容特定部１１０は、前記ライン単位の作業指示内容にもとづき、作業台Ｔごとの作業内容（作業内容ＩＤ１９０ａ）を特定する（作業内容特定処理）。
【００３４】
作業者Ｗは、コードリーダである作業者特定機器３に自身のＩＤカードを通す。作業者特定機器３はＩＤカードから読み取られた情報を作業者特定部１２０へ送信する。作業者特定部１２０は、前記読み取られた情報にもとづいて作業者Ｗを特定する（作業者特定処理）。
【００３５】
所定作業時間決定部１６０は、特定された作業内容と特定された作業者Ｗとの組合せを用いて作業者固有作業時間ＤＢ１９０を検索し、作業者固有平均作業時間１９０ｃ、または作業者固有最良作業時間１９０ｄを所定作業時間として決定する（所定作業時間決定処理）。
【００３６】
作業者Ｗが作業を開始するために作業台Ｔの近傍にいるとき、ステーション２に据え付けられた実作業時間特定機器２１０の１つであるカメラ２１０ａは、作業者Ｗの顔が認識でき、かつ、体のシルエットが正面向きであるか否かを検出し、作業者Ｗが体をステーション２に向けていること確認する（正対判定）。また、実作業時間特定機器２１０の１つである赤外線センサ２１０ｂは、ヒートマップを用いて、作業者Ｗがステーション２の近傍にいるか否かを確認する（近接判定）。これにより、実作業時間特定機器２１０は、正対判定の結果および近接判定の結果を、実作業時間特定部１３０へ通知する。
【００３７】
実作業時間特定部１３０は、正対判定および近接判定の条件がともに満たされているとき、作業者Ｗが作業をしていると判定する。また、実作業時間特定部１３０は、正対判定および近接判定の条件のいずれかが満たされない状態からともに満たされる状態へと変化した時、実作業時間のカウントを開始する。
【００３８】
超過判定部１４０は、実作業時間特定部１３０から実作業時間を受信すると、受信した実作業時間（すなわち、作業者Ｗが作業を開始してから経過した時間）と、所定作業時間決定部１６０が決定した所定作業時間とを比較する。実作業時間が所定作業時間を超過したとき、超過判定部１４０は、報知部１５０へ報知指示を出力する。
【００３９】
報知部１５０は、超過判定部１４０から受信した指示にもとづき、作業台Ｔの色が変化するように報知機器２２０を制御する。作業者Ｗは、作業台Ｔの色が変化したことにより、自身の作業時間が作業者固有平均作業時間１９０ｃを超過していることを特定することができる。
【００４０】
その後、作業者Ｗが作業台Ｔから離れ、上記の正対判定の条件および近接判定の条件のいずれかの条件が満たされなくなったとき、実作業時間特定部１３０は、作業者Ｗが作業を終了したことを識別し、実作業時間のカウントを停止し、作業終了を実作業時間特定部１３０へ通知する。超過判定部１４０および報知部１５０へ通知する。報知部１５０は、作業終了の通知にもとづいて報知機器２２０の報知動作を終了させる。
【００４１】
以上によりセル生産ラインＣは、ブザー鳴動のように、作業者Ｗを驚かせたり、所定作業時間を超過していることが周囲の作業者に容易に知られることなく、作業台Ｔの色を変化させて作業者Ｗへ報知することができる。これにより、報知動作が作業者Ｗのモチベーションへ与える悪影響を抑制することができる。
【００４２】
セル生産ラインＣは、さらに以下の動作を実行してもよい。
【００４３】
所定作業時間決定部１６０は、最も濃い色の変化を作業台Ｔに与える第２の所定作業時間（最大変化時間）を、作業者固有作業時間ＤＢ１９０に格納された情報にもとづいて決定する。例えば、所定作業時間の６０秒後を最大変化時間としてもよい。
【００４４】
所定作業時間を超過した後、超過判定部１４０は、作業者Ｗが作業を開始してから経過した時間と、所定作業時間決定部１６０が決定した所定作業時間との比較を継続する。そして、超過判定部１４０は、超過時間に応じて作業台Ｔの色の変化を強くするとともに、超過時間が最大変化時間に達した場合に最も濃い色を投影するように、報知部１５０へ報知指示を出力する。
【００４５】
これにより、超過時間が僅かである期間は薄い色で報知し、超過時間が大きくなるにつれて濃い色で報知する（色の変化を強くする）ことができる。従って、超過の有無にのみもとづいて報知するよりも、作業者Ｗに与える不快感を抑制し、かつ超過時間が大きい時には確実に報知を行うことができる。
【００４６】
§２  構成例
以下に図１から図８を参照し、セル生産ラインＣのより具体的な構成例と動作が説明される。
【００４７】
（セル生産ラインＣの構成）
図２は、実施形態１に係るセル生産ラインＣの構成を示す概略図である。図２において、ステーション２がコの字型に並べられ、作業員Ｗが、コの字の内側から各々のステーション２で組み立てや検査等の作業を行えるようになっている。複数のステーション２を含んで、実施形態１に係るセル生産ラインＣが構成されている。作業者Ｗから見てステーション２の奥の方向には治具保管台１２が備えられ、治具保管台１２上に治具Ｊが保管されている。なお、図２右側の付番は省略したが、左側と同様、ステーション２の各々は作業台Ｔなどを備える。
【００４８】
図３は、実施形態１に係るステーション２の外観を示す概略図である。図３に図示されるように、ステーション２の上部に報知機器２２０、実作業時間特定機器２１０を構成するカメラ２１０ａ、および赤外線センサ２１０ｂが設けられている。また、ステーション２の手前側には作業台Ｔが設けられている。
【００４９】
作業台Ｔは、作業者Ｗが作業しやすいような高さに設けられている。また、作業台Ｔの上面は一般に、作業者Ｗが、部品の取り付けから組み立て、加工、検査迄の生産作業を行いやすいよう、平面で構成されている。そのため、作業者Ｗへの報知を行う報知機器２２０を設ける場合、作業台Ｔの上面が平面を保つように設けることがのぞましい。
【００５０】
実作業時間特定機器２１０は、典型的には、ステーション２の上部に作業台Ｔの前で作業者Ｗが作業するとき作業者Ｗを検知できる方向に向けて、すなわち前方に向けて設けられている、カメラ２１０ａおよび赤外線センサ２１０ｂを含む。実作業時間特定機器２１０は、作業者特定部１２０から受信した作業者Ｗの作業者ＩＤ１９０ｂ、および作業者ＤＢ１９１から受信した当該作業者Ｗの顔の特徴量にもとづいて、作業者Ｗがステーション２において作業していることを特定する。具体的には、カメラ２１０ａは作業者Ｗの顔が認識できるか、および体のシルエット（シェイプ）が正面（または後ろ向き）であるかを判定し（正対判定）、正対判定の結果を実作業時間特定部１３０へ送信する。赤外線センサ２１０ｂは、ヒートマップを取得し、作業者Ｗが作業しているときに当該作業位置で発する所定の強度以上の赤外線（または所定のスペクトルの赤外線）を放出しているかを判定（近接判定）する。近接判定の結果が真であった場合、赤外線センサ２１０ｂは、作業者Ｗが作業台Ｔの作業位置に近づいていると判定し、近接判定の結果を実作業時間特定部１３０へ送信する。なお、実作業時間特定機器２１０（カメラ２１０ａおよび赤外線センサ２１０ｂ）は、カメラ２１０ａの撮影結果および赤外線センサ２１０ｂの計測結果のみを実作業時間特定部１３０へ送信してもよい。この場合、実作業時間特定部１３０が、前記正対判定および前記近接判定を行う。
【００５１】
実作業時間特定機器２１０は、後述するように、作業台Ｔの上面に設けられたシート型の圧力センサであってもよい。作業を開始したときに作業者Ｗが治具Ｊ、または組立対象製品、などを置いたり、持ち上げたりしたとき、圧力は変化する。そこで、実作業時間特定部１３０は、圧力が変化したタイミングを作業開始と見なす。
【００５２】
実作業時間特定機器２１０は、後述するように、作業者Ｗの手元、すなわち作業台Ｔを撮影するように、ステーション２の上部に設けられたカメラ２１０ａであってもよい。作業者Ｗが作業台Ｔ上で作業を開始したとき、カメラ２１０ａの撮影結果には背景画像との差（背景差分）が生じる。これにより、実作業時間特定部１３０は、動きが有る状態、すなわち背景差分が有る状態を作業状態とし、作業台Ｔ上で動きが無い状態、すなわち背景差分が無い状態を非作業状態として識別する。実作業時間特定部１３０は、非作業状態から作業状態へ変化したタイミングを作業開始と見なす。
【００５３】
報知機器２２０は、報知部１５０から受信した指示にもとづいて、報知領域Ａの色を変化させることにより報知動作を行う機器である。換言すれば、報知機器２２０は報知部１５０によって制御される。後述するように、典型的には報知機器２２０は、作業台Ｔの上方に設けられ、照射口を作業台Ｔの方向へ向けられたプロジェクタである。前記プロジェクタは報知部１５０から受信した指示にもとづいて、報知領域Ａの色を変化させる。報知領域Ａは作業台Ｔの上面の全て、または四隅など上面の一部である。
【００５４】
報知機器２２０は、後述するように、報知機器２２０は、作業台Ｔの上面に色の変化を表示するように設けられた薄型ディスプレイであってもよい。また、報知機器２２０は、作業台Ｔの上面の一部の色を変化させるように作業台Ｔに埋め込まれた照明であってもよい。
【００５５】
なお、報知領域Ａの色の変化の具体例としては、一般的な警戒色である赤色に変化させる方法を用いて説明するが、これに限られない。黄色、あるいは黒色と黄色の組合せなど、一般的に警戒色と認識される色（あるいは作業環境における環境光に対して警戒色となり得る色）を用いて報知領域Ａを変化させればよい。これにより、照明が赤色であるなど、仮に赤色で作業台Ｔの色を変化させても気づかれにくい現場においても、適当な色を用いて作業者Ｗへ報知することが可能である。
【００５６】
作業台Ｔの上部に設けられる実作業時間特定機器２１０および報知機器２２０は、作業と干渉しないよう、突出部を有しないようにステーション２に設けられてもよい。
【００５７】
セル生産ラインＣは、図１にブロック図で構成が示された制御装置１０を備えている。制御装置１０は、作業者特定部１２０、作業内容特定部１１０、所定作業時間決定部１６０、実作業時間特定部１３０、超過判定部１４０、報知部１５０、作業者固有作業時間ＤＢ１９０、および作業者ＤＢ１９１を含む。
【００５８】
実作業時間特定部１３０は、実作業時間特定機器２１０からの入力を受付け、実作業時間を特定することができる。
【００５９】
（作業内容の特定）
作業内容特定部１１０は、セル生産ラインＣにおける各作業台Ｔの作業内容を特定する。具体的には例えば、作業内容特定部１１０は、上位システムＭから受信した、対象のセル生産ラインＣにおける作業内容にもとづいて作業内容を特定してもよい。また、後述するように、作業内容特定部１１０は、セル生産ラインＣの先頭の机に設けられたＰＣに（作業内容ＩＤ１９０ａを入力するなどして）作業者Ｗが入力した作業内容にもとづき、作業台Ｔごとの作業内容を特定してもよい。
【００６０】
（作業者の特定）
作業者特定機器３は、作業者特定のために入力された情報を、作業者特定部１２０へ出力する。作業者特定機器３は、典型的には、作業者Ｗが有するＩＤカードのバーコードを読み取るスリットを備えるコードリーダである。コードリーダは、例えば、セル生産ラインＣの先頭の机に設けられたＰＣに設けられる。前記バーコードには、作業者ＩＤ１９０ｂが含まれる。なお、作業者ＩＤ１９０ｂを特定できる他の機器であってもよい。例えば、ＩＤカードに埋め込まれたＩＣチップの有する情報を無線で読み取る機器であってもよい。また、ラインの先頭の机に設けられたＰＣが備えるインカメラ、またはＷｅｂカメラ等であってもよい。作業者特定機器３は作業者特定部１２０へ前記カメラが撮影した画像を送信し、作業者特定部１２０は受信した画像にもとづき、顔認識処理により作業者Ｗを特定してもよい。これにより、Ｓ１０１において作業者Ｗが自ら作業を行うことなく、自動的に作業者Ｗを特定することができる。作業者ＤＢ１９１には、作業者特定機器３が作業者Ｗを特定するための作業者ＩＤ１９０ｂ、または作業者Ｗの顔の特徴量、の少なくともいずれかが格納されている。
【００６１】
作業者特定部１２０は、作業者特定機器３から受信した（入力を受け付けた）情報にもとづいて作業者ＤＢ１９１を検索し、セル生産ラインＣにおいて作業を開始しようとしている作業者Ｗを特定する。
【００６２】
（所定作業時間の決定）
所定作業時間決定部１６０は、後述するように、受信した作業内容と作業者Ｗとの組合せにもとづいて、各作業内容の作業者固有平均作業時間１９０ｃ、または作業者固有最良作業時間１９０ｄを呼び出し、各作業台Ｔにおける所定作業時間を決定する。所定作業時間決定部１６０は、決定した各作業台Ｔにおける所定作業時間を超過判定部１４０へ送信する。
【００６３】
（作業開始の判定）
実作業時間特定部１３０は、実作業時間特定機器２１０から受信した判定結果の情報にもとづき、作業者Ｗが作業を行っている実作業時間を特定する。具体的には、実作業時間特定部１３０は、作業開始判定条件が満たされたとき、すなわち正対判定および近接判定の結果がともに真となったとき、作業時間のカウントを開始する。ただし、作業者Ｗが体を作業台Ｔに向けているかの認識を高く保つことが困難な作業、例えば組立のために体の向きを変える必要が有る作業が行われる場合、体の向きの条件は、補助情報として利用するのみでもよい。例えば、一定の期間内であれば満たされなくてもよい判定条件として、利用してもよい。
【００６４】
（超過判定および報知）
超過判定部１４０は、カウント中の作業時間（実作業時間）が、作業が開始された作業台Ｔの所定作業時間を超えたか（所定作業時間を超過するか）を判定する。前記実作業時間が所定作業時間を超えた場合、超過時間算定部１４１は、前記作業カウントが前記所定作業時間に対して超過している時間（超過時間）を算定する。超過判定部１４０は、超過時間算定部１４１が算定した前記超過時間を報知部１５０へ送信する。
【００６５】
報知部１５０は、受信した前記超過時間に応じて作業台Ｔの色を徐々に変化させるように、報知機器２２０へ指示を出力する。
【００６６】
（作業終了の判定）
実作業時間特定部１３０は、作業終了判定条件が満たされたとき、すなわち作業開始判定条件が満たされなくなったとき、作業時間のカウントを停止する。具体的には、正対判定および近接判定の結果の少なくとも１つが偽に変化したとき、作業時間のカウントを停止する。
【００６７】
§３  動作例
以下、本開示に係るセル生産ラインＣの動作について、図４〜図８を用いて説明する。
【００６８】
図４は、セル生産ラインＣが実行するこれらの特徴的な動作を説明するためのフローチャートである。セル生産ラインＣは、図４に図示された以下のステップＳ１０１からステップＳ１０Ｂまでのフローを、繰り返し実行する。
【００６９】
Ｓ１０１の開始前に、上位システムＭは対象のセル生産ラインＣにおけるライン単位の作業指示内容を決定し、前記生産指示内容を作業内容特定部１１０へ送信する。作業内容特定部１１０は、前記ライン単位の作業指示内容にもとづき、各作業台Ｔの作業内容（後述する作業内容ＩＤ１９０ａ）を特定する。
【００７０】
なお、作業内容特定部１１０は、他の手法により作業内容を特定してもよい。例えば、セル生産ラインＣの先頭の机に設けられたＰＣに（作業内容ＩＤ１９０ａを入力するなどして）作業者Ｗが入力した作業内容にもとづき、作業内容を特定してもよい。これにより、上位システムＭが存在しないセル生産ラインＣ、または動作を停止しているセル生産ラインＣにおいても作業内容の特定が可能になる。
【００７１】
作業内容特定部１１０は、作業台Ｔ毎に特定した前記作業内容を、所定作業時間決定部１６０へ送信する。
【００７２】
Ｓ１０１において、作業者Ｗはセル生産ラインＣへと配置につき、コードリーダ（作業者特定機器３）に自身のＩＤカードを通す。作業者特定機器３はコードリーダが前記ＩＤカードから取得した情報を、作業者特定部１２０へ送信する。作業者特定部１２０は、受信した情報にもとづいて作業者ＤＢ１９１を検索し、作業者Ｗを特定する。すなわち、コードリーダで作業者Ｗを識別する。
【００７３】
また、後述する実作業時間特定処理のため、実作業時間特定部１３０は、作業カウントをゼロにリセットする。
【００７４】
Ｓ１０２において、所定作業時間決定部１６０は、受信した作業台Ｔごとの前記作業内容と前記作業者Ｗとの組合せにもとづいて、作業者固有平均作業時間１９０ｃ、または作業者固有最良作業時間１９０ｄを呼び出し、作業台Ｔ毎に所定作業時間を決定する。具体的には例えば、所定作業時間決定部１６０は、作業者固有平均作業時間１９０ｃを代入する。または、所定作業時間決定部１６０は、作業者固有最良作業時間１９０ｄを所定作業時間に代入してもよい。あるいは、全作業者Ｗの作業者固有平均作業時間１９０ｃの平均を代入してもよい。
【００７５】
図５を用いて、作業者固有平均作業時間１９０ｃ、および作業者固有最良作業時間１９０ｄについて説明する。図５は、作業者固有作業時間ＤＢ１９０の内容を例示する図である。左から順に説明すると、最も左のカラムに、作業内容ＩＤ１９０ａが格納されている。作業内容ＩＤ１９０ａは、作業台Ｔ毎に実行される作業内容ごとに割り振られるＩＤである。
【００７６】
図示したＪ１００１、およびＪ１００２以外にも、多様な作業内容が格納されている。作業内容ＩＤ１９０ａの右のカラムに、作業者ＩＤ１９０ｂが格納されている。セル生産ラインＣにおける作業者Ｗは、作業者ＩＤ１９０ｂに紐づいて特定される。図示したＯ０１００１、および０１００２以外にも、多様な作業者Ｗが作業者ＩＤ単位で格納されている。次のカラムには、作業者固有平均作業時間１９０ｃが格納されている。これは、作業内容ＩＤ１９０ａと、作業者ＩＤ１９０ｂとの組み合わせに対して記録された、各作業者固有の平均作業時間である。次のカラムには、作業者固有最良作業時間１９０ｄが格納されている。これは、作業内容ＩＤ１９０ａと、作業者ＩＤ１９０ｂとの組み合わせに対して記録された、各作業者固有の最良の作業時間である。具体的には、前記作業者固有最良作業時間は最速の作業時間であってよい。または、検品合格率が所定の率以上であると見込まれる最速の作業時間であってもよい。セル作業ラインＣの管理者は、前記作業者固有最良作業時間を任意に、あるいは所定の算出方法にもとづいて設定し得る。
【００７７】
Ｓ１０３において、実作業時間特定機器２１０は、作業者Ｗが実際に作業を開始したタイミングを特定するため、作業者Ｗを計測する。具体的には、カメラ２１０ａは作業者Ｗの顔認識、および体のシルエットが正面（または後ろ向き）であるかの判定（正対判定）を行う。また、赤外線センサ２１０ｂは、ヒートマップを取得し、作業者Ｗが作業台Ｔに近づいていることを判定（近接判定）する。
【００７８】
実作業時間特定部１３０は、実作業時間特定機器２１０から受信した判定結果の情報にもとづき、作業開始判定条件が満たされたかを判定する。具体的には、実作業時間特定部１３０は、前記正対判定の２つの条件、および前記近接判定の条件が満たされている場合、作業者Ｗは当該作業台Ｔにおいて作業をしている、と判定する。
【００７９】
作業開始判定条件が満たされた場合（Ｓ１０３においてＹｅｓ）、実作業時間特定部１３０は、Ｓ１０４の動作を開始する。作業開始判定条件が満たされなかった場合（Ｓ１０３においてＮｏ）、実作業時間特定部１３０は、作業開始判定条件が満たされるまで繰り返し判定を行う。
【００８０】
Ｓ１０４において、実作業時間特定部１３０は、作業時間カウントを開始する。
【００８１】
Ｓ１０５において、超過判定部１４０は、カウント中の作業時間（実作業時間）が、所定作業時間を超えたかを判定する。前記実作業時間が所定作業時間を超えた場合（Ｓ１０５においてＹｅｓ）、超過時間算定部１４１は、前記作業カウントから前記所定作業時間を引いた差分の時間を算定する。すなわち、前記作業カウントが前記所定作業時間に対して超過している時間（超過時間）を算定する。超過判定部１４０は、超過時間算定部１４１が算定した前記超過時間を報知部１５０へ送信する。
【００８２】
Ｓ１０６において、報知部１５０は、受信した前記超過時間に応じて作業台Ｔの色を徐々に変化させる。具体的には、超過時間に応じて作業台Ｔが徐々に赤くなるように、報知機器２２０へ指示を出力する。より具体的には、例えば、超過時間が１秒の場合に最も弱い赤色を作業台Ｔへ投影するように報知部１５０へ指示を出力し、超過時間が６０秒に達した場合に最も濃い赤色を作業台Ｔへ投影するように、超過時間に比例して濃い赤色を投影する指示を出力してもよい。
【００８３】
最も濃い赤色を作業台Ｔへ投影する第２の所定作業時間（最大変化時間）は、例えば前述のＳ１０２において、予め設定された時間として決定される他、所定作業時間との比率など他の要素にもとづいて所定の処理により決定されてもよい。例えば、所定作業時間の１２０％であってよい。また、作業者固有最良作業時間１９０ｄと作業者固有平均作業時間１９０ｃとの差を所定作業時間に加えた時間を、最大変化時間としてもよい。また、作業者固有平均作業時間１９０ｃを所定作業時間とし、作業者固有最良作業時間１９０ｄを最大変化時間としてもよい。これにより、作業内容ＩＤ１９０ａと作業者Ｗ（作業者ＩＤ１９０ｂ）の組合せに応じた所定作業時間、および最大変化時間を所定の処理により自動的に設定することができる。
【００８４】
図６、図７、および図３を用いて、報知機器２２０が作業台Ｔの色を変化させる動作（報知動作）について説明する。図６にはステーション２と、ステーション２が備える報知機器２２０、カメラ２１０ａ、赤外線センサ２１０ｂ、および報知機器２２０が色を変化させる報知領域Ａを示す。報知領域Ａは作業台Ｔの全体である。すなわち、作業台Ｔの上面全体が報知領域Ａである。なお簡易に説明するため、電源ライン、通信ライン等は図示しない。
【００８５】
本実施形態において、報知機器２２０は、作業台Ｔの上方に設けられ、照射光を作業台Ｔへ向けたプロジェクタである。前記プロジェクタは報知部１５０から受信した指示にもとづいて、報知領域Ａの色を変化させる。カウント中の作業時間が所定作業時間を超えていない場合（ステップＳ１０５においてＮｏの場合）、図３のように、前記プロジェクタは色を変化させていない。すなわち、プロジェクタは投影を全く行っていないか、白色など一定の色を投影しているのみである。カウント中の作業時間が所定作業時間を超えたとき（ステップＳ１０５においてＹｅｓとなったとき）、前記プロジェクタは、最も弱い色の変化を報知領域Ａに与える。超過時間が増えるにつれて、図７に示すように、報知機器２２０は報知領域Ａの色をより強く変化させる。
【００８６】
なお、超過時間に応じた変化を行わせず、単純に、超過時点以降、１つのパターンで報知領域Ａの色を変化させてもよい。具体的には、作業カウントが所定作業時間を超過していた場合、超過判定部１４０は超過の有無のみを送信し、報知部１５０は超過が有ったことを受信したとき、作業台Ｔを（一定の強さで）赤くするように報知部１５０へ指示を出力してもよい。
【００８７】
図８に示すように、前記プロジェクタは、作業台Ｔの一部、具体的には作業台Ｔの四隅のいずれか１つ以上を報知領域Ａとしてもよい。これにより、作業者Ｗが作業を行う中央部の色を変化させずに報知することができ、報知動作によって作業に与える影響を抑えることができる。
【００８８】
Ｓ１０７において、実作業時間特定部１３０は、作業終了判定条件が満たされたかを判定する。具体的には、実作業時間特定部１３０は、前記正対判定の２つの条件、および前記近接判定の条件の少なくとも１つが満たされていない場合、作業者Ｗは当該作業台Ｔにおいて作業をしていない、と判定する。作業開始判定条件が満たされた後で作業終了判定条件が満たされた場合（Ｓ１０７においてＹｅｓ）、実作業時間特定部１３０は、Ｓ１０８の動作を開始する。作業終了判定条件が満たされなかった場合（Ｓ１０７においてＮｏ）、Ｓ１０６に進む。換言すれば、Ｓ１０４からＳ１０７において、実作業時間特定部１３０は、作業開始判定条件に合致し始めたタイミングの時間情報を取得し、作業終了判定条件に合致するまでの、作業開始判定条件を満たし続けている時間を実作業時間としてカウントする。
【００８９】
Ｓ１０８において、実作業時間特定部１３０は、作業時間カウントを停止しゼロリセットする（作業時間カウントをゼロに戻す）。実作業時間特定部１３０は、作業終了を超過判定部１４０および報知部１５０へ通知する。
【００９０】
Ｓ１０９において、報知部１５０は、作業終了した作業台Ｔは、色が変化しているかを判定する。作業終了した作業台Ｔは色が変化していた場合、すなわち、Ｓ１０５においてカウント中の作業時間が所定作業時間を超過していたと判定されていた場合（Ｓ１０９においてＹｅｓ）、報知部１５０は、Ｓ１０Ａの処理を行う。作業終了した作業台Ｔは色が変化していなかった場合、すなわち、Ｓ１０５においてカウント中の作業時間が所定作業時間を超過していたと判定されずにＳ１０９の処理が開始されていた場合（Ｓ１０９においてＮｏ）、Ｓ１０Ｂに進む。
【００９１】
Ｓ１０Ａにおいて、報知部１５０は、作業台Ｔの色を元の状態に戻す。すなわち、報知機器２２０による色の変化（作業台Ｔを赤く変化させる等）を停止させ、報知機器２２０が色の変化を行っていない状態へと戻す。
【００９２】
Ｓ１０Ｂにおいて、作業内容特定部１１０は、次の工程が有るかを判定する。すなわち、終了した作業の次に実行されるべき作業内容が存在するかを前記ライン単位の指示を参照して判定する。次の工程が有る場合（Ｓ１０ＢにおいてＹｅｓ）、作業者Ｗが次のステーション２へ進むので、セル生産ラインＣはＳ１０２からＳ１０Ｂの動作を繰り返す。
【００９３】
次の工程が無い場合（Ｓ１０ＢにおいてＮｏ）、作業内容特定部１１０は、処理を終了させる。
【００９４】
なお、実作業時間特定機器２１０は、作業台Ｔに設けられた、図示しないシート型の圧力センサであってもよい。前記圧力センサからの出力結果が、作業開始判定条件、および作業終了判定条件として用いられる。この場合、判定には圧力そのものではなく、“圧力の変化”のタイミングを用いることが望ましい。例えば、セル生産ラインＣの管理者は、作業がされていない状態の圧力をデフォルトの値として事前に記録し、図示しないＤＢに保存する（なお、記録のタイミング、記録者は適宜変更され得る）。作業を開始したときに作業者Ｗが治具Ｊ、または組立対象製品、などを置いたり、持ち上げたりしたとき、圧力は変化する。実作業時間特定部１３０は、圧力が変化したタイミングを”作業開始”と見なす。作業中は圧力が一定ではなく常に変化し続ける。実作業時間特定部１３０は、圧力が上述のデフォルトの値になるまでの時間を実作業時間としてカウントし続ける。すなわち、実作業時間特定部１３０は、後述するＳ１０７における作業終了判定条件として判定に前記圧力の変化を用い、デフォルトの値に収束したら作業終了と判定する。
【００９５】
また、実作業時間特定機器２１０は、作業者Ｗの手元、すなわち作業台Ｔを撮影するようにステーション２の上部に設けられたカメラ２１０ａであってもよい。前記カメラ２１０ａからの出力結果（手元動画）が、作業の開始判定条件、および作業終了判定条件として用いられる。この場合、判定には前記手元動画の変化のタイミングを用いる事が望ましい。例えば、セル生産ラインＣの管理者は、作業がされておらず作業台Ｔの上で動きが無い状態を背景画像として事前に記録し、図示しないＤＢに保存する。作業者Ｗが作業台Ｔ上で作業を開始したとき、前記手元動画には前記背景画像との差（背景差分）が生じる。これにより、実作業時間特定部１３０は、動きが有る状態、すなわち背景差分が有る状態を作業状態とし、作業台Ｔ上で動きが無い状態、すなわち背景差分が無い状態を非作業状態として識別することができる。実作業時間特定部１３０は、受信した前記手元動画にもとづいて作業台Ｔが非作業状態であるか作業状態であるかを識別する。実作業時間特定部１３０は、作業台Ｔが非作業状態から作業状態に移行したことを識別したとき作業開始と判定する。また、実作業時間特定部１３０は、作業状態から非作業状態に移行したことを識別したとき、後述するＳ１０７において作業終了と判定する。
【００９６】
§４  作用、効果
実施形態１に係るセル生産ラインＣによれば、セル生産方式等において、作業者Ｗの実作業時間が所定作業時間を超過したタイミングで、作業台Ｔの報知領域Ａの色を変化させる動作が自動で実行される。また、作業者Ｗの実作業時間が所定作業時間を超過した時間（超過時間）に応じて報知領域Ａの色を変化させる動作が自動で実行される。そのため、所定作業時間を超過していることが、周囲の作業者に容易に知られることなく、作業者Ｗの作業のリズムを安定化させることができる。従って、セル生産方式等の生産における作業者Ｗのモチベーションに悪影響を与えず、また、作業者Ｗに付加的な動作を行わせずに作業者Ｗの作業のリズムを安定化させることができ、もって作業者に安定的な作業リズムを身に付かせることができる。
【００９７】
実施形態１に係るセル生産ラインＣによれば、セル生産方式等において、作業者Ｗの実作業時間が所定作業時間を超過したタイミングで、作業台Ｔの少なくとも一部である報知領域Ａの色を変化させる動作が自動で実行される。そのため、作業者Ｗが作業を行う中央部の色を変化させずに報知することができ、報知動作によって作業に与える影響を抑えることができる。
【００９８】
〔実施形態２〕
本開示の他の実施形態が、以下に説明される。なお、説明の便宜上、上記実施形態にて説明した構成要素と同じ機能を有する構成要素については、同じ符号を付記し、その説明を繰り返さない。
【００９９】
実施形態２において、報知機器２２０は、作業台Ｔの上面に色の変化を表示するように設けられた薄型ディスプレイである。
【０１００】
図９に、実施形態２におけるステーション２の概要を示す。本実施形態では、作業台Ｔの上部に（ディスプレイ上に）薄型ディスプレイが設置されており、作業台Ｔの上面の全てが報知領域Ａである。なお、保護用の透明シートを前記薄型ディスプレイの上部に設けてもよい。あるいは、作業台Ｔに埋め込まれるように前記薄型ディスプレイを設けてもよい。前記ディスプレイは、作業者Ｗの実作業時間が所定作業時間を超過した場合、その超過時間量に応じて徐々に強い赤色を表示する。
【０１０１】
前記ディスプレイが設けられており色の変化を表示する面は、作業者Ｗが作業を行う作業台Ｔの上面と等しい。そのため、報知機器２２０と作業台Ｔとの位置関係を調整することなく、報知機器２２０が作業台Ｔの一部または全部の色を変化させて作業者Ｗへの報知を行うことができるように報知機器２２０を設置することができる。
【０１０２】
〔実施形態３〕
実施形態３において、報知機器２２０は、作業台Ｔの上面の一部の色を変化させるように作業台Ｔに埋め込まれた照明である。作業台Ｔの一部は、典型的には作業台Ｔの四隅である。照明は、ＬＥＤライトであってよい。また、報知機器２２０は、作業による衝撃から保護されるように保護シートと設置作業台Ｔとの間に設置された照明であってもよい。
【０１０３】
図１０に、実施形態３におけるステーション２の概要を示す。本実施形態では、作業台Ｔの上面の一部に照明が埋め込まれており、作業台Ｔの上面の一部が報知領域Ａである。前記照明は、作業者Ｗの実作業時間が所定作業時間を超過した場合、その超過時間量に応じて徐々に強い赤色を表示する。
【０１０４】
前記照明は、作業者Ｗの実作業時間が所定作業時間を超過した場合、その超過時間量に応じて徐々に強い赤色を点灯する。
【０１０５】
前記照明設けられておりが点灯により色の変化を表示する面は、作業者Ｗが作業を行う作業台Ｔの上面と等しい。そのため、報知機器２２０と作業台Ｔとの位置関係を調整することなく、報知機器２２０が作業台Ｔの一部の色を変化させて作業者Ｗへの報知を行うことができるように報知機器２２０を設置することができる。また、作業台Ｔの一部のみに照明を設ければよいため、作業による衝撃から報知機器２２０を保護するための作業台Ｔに対する設計変更が容易である。
【０１０６】
〔変形例〕
上述の実施形態に記載された例の他、本開示の精神から逸脱しない範囲内で、種々の変形例が実施され得る。
【０１０７】
例えば、作業者特定機器３と実作業時間特定機器２１０とが別に設けられている例について説明したが、同一の機器であってもよい。具体的には、作業者特定機器３はセル生産ラインＣの先頭のステーション２に設けられたカメラである場合、作業者特定機器３は実作業時間特定機器２１０（カメラ２１０ａ）を兼ねてもよい。カメラ２１０ａは作業者Ｗの顔を撮影し、作業者特定部１２０へ送信する。これにより、別々の機器を用いる必要が無くなり、より低コストに本開示の内容を実施することが可能である。
【０１０８】
また、説明を容易にするため、セル作業ラインＣにおける作業者Ｗは一名のみ（１人完結セル）であることを前提に説明したが、作業者Ｗが複数名混在しても（分業セルであっても）よい。例えば、ステーション２の各々における実作業時間特定機器２１０はカメラであり、作業者特定機器３を兼ね、作業者特定部１２０はステーション２の各々の作業者Ｗを特定してもよい。作業内容特定部１１０は、特定された前記作業内容のうちどの工程が実行されるかを前記実作業時間特定機器２１０が位置するステーション２の位置にもとづいてさらに特定してもよい。超過判定部１４０は、ステーション２ごとに、作業者Ｗを特定した上で、特定した作業者Ｗに応じた所定作業時間を用いて、前述の超過判定を行ってもよい。これにより、分業セルにおいても本開示が適用可能である。
【０１０９】
赤色に変化させる例、および色の強さ（濃さ）を超過時間に応じて変化させる例を例示したが、特定の動画パターンを含む動画を提示して報知してもよい。また、超過時間に応じて動画パターンを早くする（色の変化を強くする）ように構成してもよい。明滅により報知してもよく、また、超過時間に応じて明滅速度が増すように構成してもよい。これにより、幅広い視覚効果を伴う報知を作業者Ｗへ行うことができる。また、報知領域Ａのうち特定の動画パターンが提示される領域の外に超過時間を表示するなど、付加的な情報を作業者Ｗへ提示することができる。
【０１１０】
一つの作業内容に対して複数の所定作業時間を設定し、複数の所定作業時間についてそれぞれ超過判定を行って、異なるパターンの色の変化を用いて作業者Ｗへ報知する構成としてもよい。異なるパターンの色の変化を用いて作業者Ｗへ報知することにより、厳守すべきラインと、可能な限り守るべきラインとの報知を分けて伝えるなど、異なる基準にもとづいて複数種の報知を作業者Ｗへ提示することができる。
【０１１１】
報知領域Ａは、作業者Ｗへ確実に報知を行うため、作業台Ｔの上面に設けられることを前提に記載したが、作業者Ｗへ報知できる領域であれば、作業台Ｔの上面に限られない。例えば、作業台Ｔの脚の前面（作業者Ｗに向いている側の面）、作業台Ｔの前面などに報知領域Ａを設定してもよい。作業台Ｔの上面以外に報知領域Ａを設けることにより、作業による衝撃を考慮することなく、報知機器２２０を設置することができる。
【０１１２】
説明を容易にするため、報知機器２２０はステーション２の各々に設けられるものとしたが、セル生産ラインＣの天井に１つ設けるなど、ステーション２の外部に、ステーション２の個数よりも少ない個数の報知機器２２０が設けられていてもよい。必要な報知機器２２０の数が減少するため、より低コストに本開示の内容を実施することができる。
【０１１３】
〔ソフトウェアによる実現例〕
制御装置１０の制御ブロック（特に作業内容特定部１１０、作業者特定部１２０、超過判定部１４０、超過時間算定部１４１、報知部１５０、所定作業時間決定部１６０）は、集積回路（ＩＣチップ）等に形成された論理回路（ハードウェア）によって実現してもよいし、ＣＰＵ（Central Processing Unit）を用いてソフトウェアによって実現してもよい。
【０１１４】
後者の場合、制御装置１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本開示の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本開示は、上記プログラムが電子的な伝送によって具現化された、搬送波に埋め込まれたデータ信号の形態でも実現され得る。
【０１１５】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【０１１６】
Ｃ      セル生産ライン（生産ライン）
２      ステーション
２１０  実作業時間特定機器
２２０  報知機器
Ｔ      作業台
３      作業者特定機器
１０    制御装置
１１０  作業内容特定部
１２０  作業者特定部
１３０  実作業時間特定部
１４０  超過判定部
１４１  超過時間算定部
１５０  報知部
１６０  所定作業時間決定部
１９０  作業者固有作業時間ＤＢ
１９１  作業者ＤＢ
【図１】
2020177533.tif 000003
【図２】
2020177533.tif 000004
【図３】
2020177533.tif 000005
【図４】
2020177533.tif 000006
【図５】
2020177533.tif 000007
【図６】
2020177533.tif 000008
【図７】
2020177533.tif 000009
【図８】
2020177533.tif 000010
【図９】
2020177533.tif 000011
【図１０】
2020177533.tif 000012